(57)【要約】【課題】基板ボックスの外周を取り囲む壁部を有するボックス用凹部によってボックス装着部を構成することでボックス用装着部材の強度を高めながら基板ボックスを容易に取り外すことができる遊技機を提供する。【解決手段】遊技機のボックス用装着部材１００に形成されたボックス装着部１７０に基板ボックス４００が装着される。ボックス装着部１７０は、基板ボックス４００の外周を囲む壁部を有するボックス用凹部１７１によって構成され、ボックス用凹部１７１の底板部には、基板ボックス４００の底部を弾性的に押圧する押圧手段１７７が設けられている。【選択図】　　　　図２７
2004000399.tif 000002
【特許請求の範囲】
【請求項１】
遊技機のボックス用装着部材に形成されたボックス装着部に基板ボックスが装着された遊技機であって、
前記ボックス装着部は、前記基板ボックスの外周を囲む壁部を有するボックス用凹部によって構成され、
前記ボックス用凹部の底板部には、前記基板ボックスの底部を弾性的に押圧する押圧手段が設けられている遊技機。
【請求項２】
請求項１に記載の遊技機であって、
ボックス用装着部材は遊技機の後側に配設された機構板によって構成されている遊技機。
【請求項３】
請求項１又は２に記載の遊技機であって、
ボックス用凹部の壁部には、基板ボックスを弾性的に係止する弾性係止片が一体状に形成されている遊技機。
【請求項４】
請求項１〜３のいずれか一項に記載の遊技機であって、
押圧手段は、ボックス用凹部の底板部の一部に切り込み状に形成された弾性押圧片によって構成されている遊技機。
【発明の詳細な説明】
【０００１】
【発明の属する技術分野】
この発明は、球（主としてパチンコ球）を使用して遊技を行う遊技機、例えば、パチンコ球を使用してスロットマシン遊技のような遊技を行う遊技機（パロット機とも呼ばれることがある）やパチンコ機のような弾球遊技機とも呼ばれている遊技機に関する。
【０００２】
【従来の技術】
球を使用して遊技を行う遊技機においては、その所定位置に配設された機構盤（裏機構盤、裏セット盤等とも呼ばれている）やカバー体（裏カバーとも呼ばれている）等のボックス用装着部材にボックス装着部が形成されるのが一般的である。そして、そのボックス装着部には基板ボックス（例えば遊技に関する制御基板を有する基板ボックス、電源基板を有する基板ボックス等）が装着される構造のものが知られている。
【０００３】
【発明が解決しようとする課題】
ところで、ボックス用装着部材に対し、基板ボックスの外周を囲む壁部を有するボックス用凹部を形成し、そのボックス用凹部によってボックス装着部を構成することが考えられる。
しかしながら、ボックス装着部がボックス用凹部によって構成され、そのボックス用凹部内に基板ボックスが収納される構造にすると、ボックス用凹部から基板ボックスを取り外すことが困難となる場合がある。
この発明の目的は、前記問題点に鑑み、基板ボックスの外周を取り囲む壁部を有するボックス用凹部によってボックス装着部を構成することでボックス用装着部材の強度を高めながら基板ボックスを容易に取り外すことができる遊技機を提供することである。
【０００４】
【課題を解決するための手段】
前記目的を達成するために、第１の発明に係る遊技機は、請求項１に記載のとおりの構成を要旨とするもので、遊技機のボックス用装着部材に形成されたボックス装着部に基板ボックスが装着される。前記ボックス装着部は、前記基板ボックスの外周を囲む壁部を有するボックス用凹部によって構成され、前記ボックス用凹部の底板部には、前記基板ボックスの底部を弾性的に押圧する押圧手段が設けられている。
したがって、ボックス用装着部材のボックス装着部が、基板ボックスの外周を囲む壁部を有するボックス用凹部によって構成されることで、ボックス用装着部材の強度が効率よく高められる。
また、ボックス用凹部から基板ボックスを取り外す際には、押圧手段によって基板ボックスの底部が弾性的に押圧されて押し出されることで、ボックス用凹部から基板ボックスが容易に取り外される。
【０００５】
第２の発明に係る遊技機は、請求項２に記載のとおりの構成を要旨とするもので、ボックス用装着部材は遊技機の後側に配設された機構板によって構成されている。
したがって、機構盤の強度が基板ボックスの外周を囲む壁部を有するボックス用凹部によって効率よく高められる。
【０００６】
第３の発明に係る遊技機は、請求項３に記載のとおりの構成を要旨とするもので、ボックス用凹部の壁部には、基板ボックスを弾性的に係止する弾性係止片が一体状に形成されている。
したがって、ボックス用凹部の弾性係止片を弾性変形させることによって、ボックス用凹部に対し基板ボックスを容易に着脱することができる。
また、ボックス用凹部に弾性係止片を一体に形成することによって、専用の弾性係止片を製作してボックス用凹部に組み付ける手間を省くことができ、部品点数や組付工数を軽減してコスト低減を図ることができる。
【０００７】
第４の発明に係る遊技機は、請求項４に記載のとおりの構成を要旨とするもので、押圧手段は、ボックス用凹部の底板部の一部に切り込み状に形成された弾性押圧片によって構成されている。
したがって、基板ボックスの底部を押圧するための専用の押圧部材を別個に製作して組み付ける手間を省くことができ、部品点数や組付工数を軽減してコスト低減を図ることができる。
【０００８】
【発明の実施の形態】
この発明の実施の形態を図面にしたがって説明する。
図１は球を使用して遊技を行う遊技機、この実施の形態ではパチンコ球を使用してスロットマシン遊技のような遊技を行う遊技機を示す正面図である。図２は図１のＩＩ−ＩＩ線に基づく縦断面図である。図３は遊技機を後方から示す背面図である。なお、説明の便宜上、遊技機に対する遊技者側を前、反対側を後という。
図１〜図３に示すように、遊技機は、外枠１０、前枠２０、装着枠５０、遊技装置７０、機構盤１００等を主体として構成されている。
外枠１０は方形枠状に形成され、その下部前面には、前枠２０の下端面を受ける受け板１１が一体状に設けられている。
【０００９】
外枠１０の前側には、その片側に配設されたヒンジ板１６とヒンジ軸１７とを備えた前枠ヒンジ装置１５によって前枠２０が開閉可能に装着されている。また前枠２０は、その前枠ヒンジ装置１５とは反対側の自由端よりに配設された施錠装置１８によって外枠１０の前側に閉じ状態に施錠されるようになっている。
図２と図４に示すように、前枠２０は、木質合板、合成樹脂、軽合金等より形成され、その略中央部には、遊技装置７０に対応する開口窓２１が形成されている。
また、前枠２０の前面の片側（図４に向かって左側）部には、その上部から略中央部にわたって板厚が所定量だけ軽減された凹部が形成され、その凹部には、金属板、強化樹脂板等の剛性を有する平板状の補強部材２３が前枠２０の前面と略同一面をなして取り付けられている。そして、前枠２０の前面の補強部材２３によって補強された部分には、扉ヒンジ装置３０によって開閉扉３１（ガラス扉とも呼ばれている）の一側が開閉可能に装着されている。この開閉扉３１は、遊技装置７０の前側部分を前方から透視可能な窓部を構成する扉枠本体と、その扉枠本体の窓部を塞ぐようにして同扉枠本体の窓枠サッシ部に着脱可能に装着されたガラス板等の透明板とを備えて構成されている。
【００１０】
また、図１に示すように、開閉扉３１の下部には、操作表示板３５が配設され、この操作表示板３５には、レバー等の作動部材３６、第１ストップボタン４１、第２ストップボタン４２、第３ストップボタン４３等が操作可能に配設されるとともに、７セグメント表示のクレジット用表示器４４、ゲームカウント用表示器４５、払出用表示器４６の前面表示部が視認可能に配設されている。なお、作動部材３６、第１ストップボタン４１、第２ストップボタン４２、第３ストップボタン４３、クレジット用表示器４４、ゲームカウント用表示器４５、払出用表示器４６等は、遊技装置７０の遊技ユニット７２前面の所定位置にそれぞれ設けられている。
【００１１】
また、図１と図２に示すように、前枠２０の前面下部には、開閉扉３１の下方に隣接して上皿４７が装着され、その上皿４７の下部には下皿４８が装着されている。なお、上皿４７には、貸し球及び賞球の球が払い出されて保留され、その上皿４７に保留された球のうち、図１に向かって右側に整列された所定数の球（５個〜１５個）が作動部材３６の作動操作に基づいて作動する球送り装置（図示しない）によって遊技機の所定位置に送り出されることで、遊技（この実施の形態ではスロットマシン遊技）が行われるようになっている。また、下皿４８には、上皿４７に貯留された球が満杯になったときに球が払い出されて貯留されるようになっている。
【００１２】
図４に示すように、前枠２０の後面側には、装着枠５０が固定手段６０によって固定状態で装着されている。前枠２０に対する装着枠５０の固定手段６０は、結合孔２５、固定用ボス部６１、固定係合板６２及び可動係合板６３を備えている。
すなわち、この実施の形態において、前枠２０には複数の結合孔２５が配設されている。また、前枠２０の開口窓２１の周縁部の上下部及び左右部の少なくとも４箇所に結合孔２５が配設されることが望ましく、図４に示すように、前枠２０の開口窓２１の上縁部近傍の左右部２箇所と、開口窓２１の下縁部近傍の左右及び中央部の３箇所と、前枠２０の下縁部近傍に位置する箇所（合計７箇所）に結合孔２５が配設されることがより一層望ましい。
図４及び図６の（Ａ）及び（Ｂ）に示すように、前枠２０に貫設された各結合孔２５は、略横長四角形状をなす角孔状に形成され、前枠２０の前後両面に開口する貫通部２６と、その貫通部２６の前側下部に位置して前枠２０の前面に凹設されかつ貫通部２６よりも幅が狭い段差部２７を有する係合部２８と、をそれぞれ連通状に備えている。
【００１３】
一方、図４と図５に示すように、装着枠５０は、合成樹脂、軽金属等よりなり、前枠２０の開口窓２１よりも所定量だけ大きい開口窓５１を有して略方形枠状に形成されている。
また、装着枠５０は、枠板５２、段差状内壁部５７、前側外壁部５８及び後側外壁部５９を一体に有して構成されている。
枠板５２は、開口窓５１の上下左右に沿う上板部５３、下板部５４、及び左右の両側板部５５、５６を略同一に備えて平坦に形成されている。
また、段差状内壁部５７は、枠板５２の内周縁、すなわち開口窓５１の周縁（内側四周縁）から前枠２０の後面に接近する位置まで前方に向けて突出されて略四角環状をなしており、その段差状内壁部５７の所定高さ位置には段差面５７ａが形成されている。
前側外壁部５８は、枠板５２の外周縁（外側四周縁）から前枠２０の後面に接近する位置まで前方に向けて略四角環状をなして突出されている。また、後側外壁部５９は、枠板５２の外周縁（外側四周縁）から後方に向けて略四角環状をなして突出されている。
【００１４】
また、枠板５２の上板部５３の前面と、下板部５４の前面には、前記した複数個（７個）の角孔状の結合孔２５にそれぞれ対応し、かつ各結合孔２５の貫通部２６に嵌挿される略角筒状の固定用ボス部６１がそれぞれ突設されている。
図６に示すように、固定用ボス部６１の前端面には、結合孔２５の係合部２８に形成された段差面２７に係合し、かつ結合孔２５の係合部２８の幅寸法と略同じ幅寸法を有する略四角板状の固定係合板６２が固着されている。さらに固定係合板６２の前側にはレバー状の可動係合板６３がその一端部寄り部分において前後方向の締付ネジ６４によって回動操作可能に組み付けられている。
そして、可動係合板６３は、締付ネジ６４を中心として回動操作されることで、図６の（Ａ）及び（Ｂ）に示すように、略直立状をなすロック位置と、図７の（Ａ）及び（Ｂ）に示すように、ロック位置から時計回り方向に略６０度回動されたロック解除位置とに配置切換されるようになっている。
【００１５】
すなわち、前枠２０の後側に装着枠５０を固定する場合には、図７の（Ａ）及び（Ｂ）に示すように、可動係合板６３がロック解除位置に配置された状態において、前枠２０の各結合孔２５の後方から装着枠５０の各固定用ボス部６１、固定係合板６２及び可動係合板６３が挿入される。その後、固定用ボス部６１の下面が結合孔２５の下側内面に当接する位置まで下げる。ここで、図６の（Ａ）及び（Ｂ）に示すように、可動係合板６３が略直立状をなすロック位置に配置される。これによって、可動係合板６３の上端面が結合孔２５の上側内面に当接することで、前枠２０の後側に装着枠５０が固定状態で装着される。
また、前記とは逆の手順で操作することで、前枠２０に対し装着枠５０が取り外される。
【００１６】
前記したように前枠２０の後側に装着枠５０が装着された状態において、前枠２０に対する装着枠５０の前後方向のガタツキ（移動）は、結合孔２５の係合部２８の段差面２７と前枠２０の後面との間の板厚部分が、装着枠５０の段差状内壁部５７及び前側外壁部５８の各前端と複数の固定係合板６２との間に挟まれることで阻止される。
また、前枠２０に対する装着枠５０の左右方向のガタツキ（移動）は、複数の結合孔２５の係合部２８の左右両側部と、固定用ボス部６１及び固定係合板６２の左右両側部との当接によって阻止される。
また、前枠２０に対する装着枠５０の上下方向のガタツキ（移動）は、複数の結合孔２５の下側部に当接する複数の固定用ボス部６１と、複数の結合孔２５の上側部に当接する複数の可動係合板６３とによって阻止される。
このため、前枠２０の後側に装着枠５０が強固にかつ安定よく固定される。
特に、前枠２０の後側に対し装着枠５０を容易にかつ正確に位置決めして安定よく固定することができるとともに、容易に取り外すことができる。このため、前枠２０の後側に対し装着枠５０を取り付けたり、あるいは取り外す際、装着専用のビスをねじ込んで取り付けたり、そのビスを緩めて取り外す煩わしい作業が不要となる。
【００１７】
前記したように前枠２０の後側に固定状態で装着された装着枠５０には、その開口窓５１、すなわち段差状内壁部５７の段差面５７ａに当接する位置まで遊技装置７０の遊技盤７１が着脱可能に嵌込まれて装着される。
遊技装置７０は、後述する機構盤１００の内側リブ壁１０７によって遊技盤７１の後面の周縁部が押されられた状態で固定されるようになっている。
図１と図２に示すように、遊技装置７０は、装着枠５０の開口窓５１に対応する大きさの略四角板状に形成され遊技盤７１と、その遊技盤７１に装着された遊技ユニット７２とを備えている。遊技ユニット７２は、左右及び中間の３つの図柄表示用回転ベルト７３（円形リング状の回転リール、回転ドラム等であってもよい）と、液晶表示器７４とがそれぞれ組み付けられており、その前側下部には、前記した作動部材３６、第１ストップボタン４１、第２ストップボタン４２、第３ストップボタン４３、クレジット用表示器４４、ゲームカウント用表示器４５、払出用表示器４６等が配設されている。
【００１８】
すなわち、遊技装置７０は、作動部材３６を作動することで３つの図柄表示用回転ベルト７３がそれぞれ回転し、各図柄表示用回転ベルト７３にそれぞれ対応する第１〜第３ストップボタン４１、４２、４３を押すことで各図柄表示用回転ベルト７３が停止するようになっている。そして、各図柄表示用回転ベルト７３にそれぞれ個別に表示された各図柄（３つの図柄）の列が所定の当たり図柄列となって停止したときには、所定数の球が上皿４７に払い出されるようになっている。
また、図２に示すように、遊技装置７０の遊技ユニット７２の後側には裏カバー体７５が配設され、この裏カバー体７５の後面の下部には、遊技全般の制御を行うための主制御基板８１が収納された主基板ボックス８０が配設されている。また、裏カバー体７５の後面には、主基板ボックス８０の上部に隣接して副基板ボックス８５が装着されている。副基板ボックス８５には、遊技機の所定位置に配設されたスピーカ等を作動制御したり、あるいはランプ、ＬＥＤ等を点滅制御するためのするための音声制御基板、ランプ制御基板等の副制御基板８６が収納されている。
【００１９】
図２と図３に示すように、装着枠５０の後側には、機構盤１００が、その一側において機構盤ヒンジ装置９０によって後方に開閉可能に装着され、閉止具９１によって閉じ状態に閉止保持されている。
図８〜図１０に示すように、機構盤１００は、合成樹脂、軽金属等よりなり、その略中央部には、遊技ユニット７２の後部、あるいは主基板ボックス８０及び副基板ボックス８５が後方に突出される開口窓１０１を有して略方形枠状に形成されている。
また、機構盤１００は、後枠板１０２、内側リブ壁１０７及び外側リブ壁１０８を一体に有して構成されている。
【００２０】
図８と図９に示すように、機構盤１００の後枠板１０２は、開口窓１０１の上下左右に沿う上板部１０３、下板部１０４、及び左右の両側板部１０５、１０６を略同一面に一体に備えて平坦に形成されている。
また、内側リブ壁１０７は、後枠板１０２の内周縁、すなわち開口窓１０１の周縁（内側四周縁）から前方の遊技盤７１に向けかつ遊技盤７１の後面周縁部に当接する位置まで略四角環状をなして突設されている。
また、外側リブ壁１０８は、後枠板１０２の外周縁（外側四周縁）から前方の装着枠５０に向けかつ装着枠５０の枠板５２に当接する位置まで略四角環状をなして突設されている。そして、機構盤１００は、内側リブ壁１０７及び外側リブ壁１０８によって強度が高められている。
また、外側リブ壁１０８は、装着枠５０の後側外壁部５９の内側に僅かな隙間をもって嵌込まれる大きさに形成されている。そして、装着枠５０の後側外壁部５９の内側に機構盤１００の外側リブ壁１０８が嵌込まれて装着枠５０に機構盤１００が閉じられることで、後側外壁部５９と外側リブ壁１０８との間に異物が不測に挿入されて不正行為が行われることが防止されるようになっている（図２５参照）。
また、後側外壁部５９と外側リブ壁１０８と嵌合によって、これら後側外壁部５９と外側リブ壁１０８との強度が相互に高められ、ひいては、装着枠５０と機構盤１００との強度が相互に高められるようになっている。
【００２１】
また、図８に示すように、機構盤１００の後枠板１０２の前面の片側寄り下部（図に向かって左側寄り下部）には、球を機外に排出する排出通路１１１や球を所定位置まで払い出すための払出通路１１２、その払出通路１１２に払い出された球を上皿４７に導くための上皿連通路１１３、その上皿連通路１１３の球貯留部に球が満杯になったときに球を下皿４８に導くための下皿連通路１１４等を形成する通路壁１１０が所定形状に突設されている。また、前記各通路を構成する通路壁１１０の前側にはこれら通路壁１１０と協働して各通路を必要に応じて前後２列に区画構成する通路構成部材（図示しない）が装着されている。
【００２２】
図９と図１０に示すように、機構盤１００には、球タンク２００に対応するタンク装着部１２０が設けられると共に、同機構盤１００の後面側には、タンクレール２２０に対応するレール装着部１３０、球払出装置２５０に対応する払出装置装着部１４０、球止部材３００に対応する球止め用装着部１６０、第１の基板ボックス４００に対応する第１のボックス装着部１７０及び第２の基板ボックス４２０に対応する第２のボックス装着部１８０がそれぞれ形成されている。
【００２３】
また、この実施の形態において、図９と図１２に示すように、機構盤１００のタンク装着部１２０は、開口部１２１と、その開口部１２１下側の受け棚壁１２２及び左右両側の側壁部１２６を備えて構成されている。
また、レール装着部１３０は、底板部１３２、下側壁部１３３を備えたレール用凹部１３１によって構成されている。
また、図９と図１８に示すように、払出装置装着部１４０は、底板部１４５、上壁部１４２及び側壁部１４３、１４４を備えた払出装置用凹部１４１によって構成され、球止め用装着部１６０は、装着孔１６１を備えたボス部１６２によって構成されている。
また、図９と図２６に示すように、第１のボックス装着部１７０は、底板部１７６、上壁部１７２、下壁部１７３及び左右の両側壁部１７４、１７５を備えたボックス用凹部１７１によって構成されている。さらに、第２のボックス装着部１８０は、底板部１８６、上壁部１８２、下壁部１８３及び左右の両側壁部１８４、１８５を備えたボックス用凹部１８１によって構成されている。
そして、機構盤１００は、各装着部を構成する各凹部よって強度が効率よく高められるようになっている。
【００２４】
また、機構盤１００において、第１のボックス装着部１７０の上壁部１７２、下壁部１７３及び左右の両側壁部１７４、１７５以外の壁部、すなわち、機構盤１００の内側リブ壁１０７、外側リブ壁１０８、タンク装着部１２０を構成する受け棚壁１２２及び左右両側の側壁部１２６、レール用凹部１３１の下側壁部１３３、払出装置用凹部１４１の上壁部１４２及び両左右の両側壁部１４３、１４４、第２ボックス用凹部１８１の上壁部１８２、下壁部１８３及び片側の側壁部１８４の各壁部の突出高さ寸法（遊技盤７１または前枠２０後面からの突出高さ寸法）は略一定である。言い換えると、遊技盤７１または前枠２０後面からの機構盤１００の後枠板１０２の距離寸法が略一定となるように、後枠板１０２の配設位置が設定されている。
また、各壁部の突出高さ寸法は、少なくとも、レール用凹部１３１の下側壁部１３３上に、前後２列の球通路を構成するタンクレール２２０の下板部２２３下面の略全幅を受けることができる程度に設定されている。言い換えると、後枠板１０２を基準とするとレール用凹部１３１の下側壁部１３３の前方への突出寸法は、前後２列の球通路を構成するタンクレール２２０の下板部２２３下面の略全幅を受けることができる程度に設定されている。
【００２５】
次に、前記した機構盤１００のタンク装着部１２０、レール装着部１３０、球払出装置２５０、球止め用装着部１６０、第１のボックス装着部１７０、及び第２のボックス装着部１８０と、これら各装着部に装着される球タンク２００、タンクレール２２０、球払出装置２５０、球止部材３００、第１の基板ボックス４００及び第２の基板ボックス４２０を順次詳細に説明する。
図１１〜図１７に示すように、機構盤１００の上部（後枠板１０２の上板部１０３）には、球タンク２００を着脱可能に装着するためのタンク装着部１２０と、タンクレール２２０を着脱可能に装着するためのレール装着部１３０とが上下に隣接して設けられている。
タンク装着部１２０は、機構盤１００の前方から球タンク２００を装着可能な開口部１２１を有し、その開口部１２１の下側には、球タンク２００の下面を受ける受け棚壁１２２が形成されている。
また、タンク装着部１２０の開口部１２１の左右両側部には、側壁部１２６が対向状に形成され、これら両側壁部１２６の相対する面には、前後方向の装着溝１２７がそれぞれ凹設されている。
【００２６】
図１１〜図１５に示すように、機構盤１００のタンク装着部１２０には、所定量（多数個）の球を貯留して、その球を順次にタンクレール２２０に向けて供給するための球タンク２００が着脱可能に装着される。
この球タンク２００は、合成樹脂製のタンク本体２０１を主体として構成されている。
図１３に示すように、タンク本体２０１は、前側壁２０２、後側壁２０３、左右の側壁部２０４、２０５及び底板部２０６を有し、かつ所定量（多数個）の球が収納されるタンク容量の上方開口の箱形状に形成されている。そして、底板部２０６の片側（図に向かって左側）寄りには、球をタンクレール２２０に向けて供給する供給口２０７が開口されている。なお、底板部２０６は、供給口２０７に向けて適宜に下傾する傾斜状に形成されている。
【００２７】
また、底板部２０６の前側寄り部分は、タンク装着部１２０の受け棚壁１２２の形状に対応して形成されている。そして、球タンク２００の底板部２０６の前側寄り部分の下面が受け棚壁１２２の上面によって受けられて支持されるようになっている。
【００２８】
また、タンク本体２０１の左右の側壁部２０４、２０５の上縁部外側から後側壁２０３の上縁部後側にわたって補強用のリブを兼ねる凸縁２０８が連続して形成されている。そして、左右の側壁部２０４、２０５の凸縁２０８は、タンク装着部１２０の両側壁部１２６の装着溝１２７に沿って摺動可能に差し込まれるようになっている。
また、タンク本体２０１の前側壁２０２の左右両端部から取付フランジ２０９がそれぞれ張り出されている。
【００２９】
すなわち、この実施の形態において、機構盤１００のタンク装着部１２０に球タンク２００を装着する場合、機構盤１００のタンク装着部１２０の開口部１２１の前側から、その開口部１２１両側の側壁部１２６の装着溝１２７に、球タンク２００の左右の側壁部２０４、２０５の凸縁２０８を差し込んで挿入する。そして、球タンク２００の左右の両取付フランジ２０９が、タンク装着部１２０の両側壁部１２６の前面に当接する位置まで球タンク２００が差し込まれたところで、ビス２１０によって球タンク２００の左右の両取付フランジ２０９をタンク装着部１２０の両側壁部１２６の前面に締め付け固定することで、タンク装着部１２０に球タンク２００が装着される（図１１及び図１４参照）。
【００３０】
前記したようにタンク装着部１２０の前側から、その左右の両側壁部１２６の装着溝１２７に、球タンク２００の左右の側壁部２０４、２０５の凸縁２０８を差し込んで挿入した後、同球タンク２００の左右の両取付フランジ２０９をタンク装着部１２０の両側壁部１２６の前面にビス２１０によって締め付け固定することで、タンク装着部１２０に球タンク２００を容易に装着することができる。また、球タンク２００の装着状態において、タンク本体２０１の底板部２０６の前側寄り部分（タンク本体２０１の底板部２０６の略前側半分）の下面が、タンク装着部１２００の受け棚壁１２２によってそれぞれ受けられて支持される。このため、球タンク２００の自重や、そのタンク内に貯留された球の荷重が、受け棚壁１２２の上面の略全面によって安定よく受けられる。
【００３１】
すなわち、従来の球タンクでは左右の取付フランジを機構盤１００の後面に片持ち状にねじ止めする構造であるため、ねじ止め部に球タンク２００の自重や、そのタンク内に貯留された球の荷重が集中して作用するため、ねじ止め部で破損する問題点があった。この実施の形態に係る球タンク２００の装着構造によれば、球タンク２００の自重や、そのタンク内に貯留された球の荷重が、受け棚壁１２２の上面の略全面によって安定よく受けるとともに、その荷重の一部が球タンク２００の凸縁２０８とタンク装着部１２０の装着溝１２７との嵌合部分に分散して受けられるため、球タンク２００やその支持部の損傷防止に効果が大きい。
【００３２】
図１１と図１２に示すように、機構盤１００の後面側には、タンク装着部１２０の下側に隣接してレール装着部１３０が形成されている。
このレール装着部１３０は、後枠板１０２の上板部１０３の一部が前方に向けて凹されて形成されたレール用凹部１３１を主体として形成されている。そして、レール用凹部１３１の下側壁をなす下側壁部１３３は、後枠板１０２の上板部１０３からタンクレール２２０の前後方向の幅寸法と略同じ幅寸法を有して前方に向けて突出しており、その一側が高く、他側が低い（図１２に向かって左側が高く、右側が低い）傾斜面に形成されている。
また、レール用凹部１３１の底部をなす底板部１３２と、下側壁部１３３との境界部には、タンクレール２２０に対応する複数個の角孔状をなす装着孔１３４がそのレール方向に所定間隔を保って形成されている。また、レール用凹部１３１の一側壁の近傍には、係止孔１３５が形成されている。
【００３３】
図１１、図１６及び図１７に示すように、機構盤１００のレール装着部１３０、すなわちレール用凹部１３１には、球タンク２００の供給口２０７から供給（流出）された球を、単列又は複列、例えば、前後２列に配列し流下させその球を球払出装置２５０に向けて誘導案内するためのタンクレール２２０が着脱可能に装着される。
このタンクレール２２０は、合成樹脂の射出成形によって形成されたレール本体２２１を主体として構成されている。
【００３４】
レール本体２２１は、後壁部２２２と下板部２２３とを一体状に有して横断面略Ｌ字状に形成されている。下板部２２３は、レール用凹部１３１の下側壁部１３３に沿って傾斜状に形成されるとともに、その幅方向に略中央部には、仕切り壁２２５が直角状に立設されている。そして、下板部２２３上には、その仕切り壁２２５を境として球を前後２列に配列して誘導する球誘導路が形成されている。
また、下板部２２３の前側下縁には、レール用凹部１３１の複数の装着孔１３４に係脱可能に係合する複数の鉤形状の係止片２３０がそれぞれ突設されている。
また、レール本体２２１の一端（図１７に向かって左端）には端壁部２４０が形成され、その端壁部２４０には、レール用凹部１３１の係止孔１３５に係脱可能に係合する弾性係止爪２４１が突設されている。
【００３５】
すなわち、この実施の形態において、機構盤１００のレール装着部１３０にタンクレール２２０を装着する場合、まず、タンクレール２２０の複数の係止片２３０がレール用凹部１３１の複数の装着孔１３４の上方からそれぞれ差し込まれる。次に、タンクレール２２０が一方向に移動されることで、複数の係止片２３０の先端部の係止部２３１が装着孔１３４に係合する。
また、前記タンクレール２２０の移動によって、弾性係止爪２４１がレール用凹部１３１の係止孔１３５に弾性的に係合し、これによって機構盤１００のレール用凹部１３１（レール装着部１３０）にタンクレール２２０が装着される。なお、タンクレール２２０は、タンク装着部１２０に球タンク２００が装着される前に、レール用凹部１３１に装着されることが装着作業上、好ましい。
【００３６】
前記したようにレール用凹部１３１の複数の装着孔１３４の上方からタンクレール２２０の複数の係止片２３０を差し込んだ後、同タンクレール２２０を一方向に移動させる簡単な操作によって、複数の係止片２３０が各装着孔１３４に係合するとともに、弾性係止爪２４１が係止孔１３５に弾性的に係合する。このため、レール用凹部１３１に対するタンクレール２２０の装着作業を容易に行うことができる。
また、レール用凹部１３１にタンクレール２２０が装着された状態において、タンクレール２２０の幅寸法と略同じ幅寸法を有するレール用凹部１３１の下側壁部１３３の上面によって、タンクレール２２０の下板部２２３が安定よく支えられる。
【００３７】
図１１の（Ａ）及び（Ｂ）の示すように、レール用凹部１３１にタンクレール２２０が装着された状態において、レール用凹部１３１の底板部１３２を前壁部とし、その底板部１３２とタンクレール２２０の後壁部２２２との間において、タンクレール２２０の下板部２２３上には、仕切り壁２２５を境として球を前後２列に配列して誘導する球誘導路が形成される。言い換えると、レール用凹部１３１の底板部１３２をタンクレール２２０の前壁部として機能させることができ、その分だけタンクレール２２０を形成するための樹脂材料を節減することができるとともに軽量化を図ることができる。
【００３８】
図１８に示すように、機構盤１００の後面の片側部分（後枠板１０２の一方の側板部１０６の部分）には、球払出装置２５０を装着するための払出装置装着部１４０が設けられている。この払出装置装着部１４０は、後枠板１０２の側板部１０６の高さ方向略中央部が前方に向けて凹まされ形成された払出装置用凹部１４１を主体として形成されている。払出装置用凹部１４１の左右の両側壁部１４３、１４４は、後枠板１０２の側板部１０６から前方に向けて突出している。
払出装置用凹部１４１の両側壁部１４３、１４４と後枠板１０２（側板部１０６）にわたって、球払出装置２５０のケース体２５２を係止する複数の係止孔１４６が形成されている。この係止孔１４６は、側板部１０６に開口する部分に形成された挿入部１４７と、側壁部１４３又は１４４において挿入部１４７に連通し形成されかつ下方に向けて適宜に拡大された係止部１４８とを備えている。
【００３９】
また、図１８と図１９に示すように、払出装置用凹部１４１の上壁部１４２の一部には、球払出装置２５０のケース体２５２の上端部を押さえることで同ケース体２５２を上方へ移動不能にロックするロック体１５０が一体状に形成されている。
ロック体１５０は、払出装置用凹部１４１の上壁部１４２の前端縁に一体状に形成されて弾性変形可能な弾性変形部１５１と、その弾性変形部１５１の下端部から後方に向けて断面略Ｕ字状をなして突出され、その後端部の折返し部を押圧部としているロック解除用操作部１５２と、そのロック解除用操作部１５２前端から払出装置用凹部１４１の底面をなす底板部１４５の沿って下向きに突出され、球払出装置２５０のケース体２５２の上端部を押さえるロック片１５３と、を一体に備えている。
また、図１９に示すように、払出装置用凹部１４１の下端開口縁をなす後枠板１０２（側板部１０６）の一部には、球払出装置２５０のケース体２５２の下端部を止着する差込部１４９が形成されている。
【００４０】
図１０に示すように、機構盤１００の払出装置用凹部１４１（払出装置装着部１４０）には、賞球数、あるいは貸し球数に対応する数の球を機構盤１００側の排出通路１１１に向けて払い出すための球払出装置２５０が着脱可能に装着される。
図１９〜図２１に示すように、球払出装置２５０は、通路切換部材２６３、一対の可動案内部材２６４、払出用モータ２７０、回転体２７２、賞球用検出器２８０、貸球用検出器２８１、カバー体２５５、２５６等の各種の構成部品がケース体２５２に配設されてユニット化（一体化）された球払出ユニット２５１によって構成されている。
すなわち、ケース体２５２は、合成樹脂の射出成形等によって形成された複数の構成部材（球通路を構成する通路壁が一体に形成される場合がある）がネジ等によって分離可能に結合されること構成されている。
【００４１】
図１９と図２０に示すように、ケース体２５２の上部片側には、タンクレール２２０の前後２列の球流出口からの球がそれぞれ流入する流入口において開口する前後２列でかつ縦通路状をなす払出用球通路２６０と、その払出用球通路２６０の上部において通路切換部材２６３によって連通あるいは閉じられる排出用球通路２６１とがそれぞれ設けられている。
また、前後２列の払出用球通路２６０の下端部には、回転体収納部において前後各２列の賞球用通路２６６と貸球用通路２６７とに分岐され、これら前後各２列の賞球用通路２６６と貸球用通路２６７には前後の両賞球用検出器２８０と貸球用検出器２８１とがそれぞれ配設されている（図１９及び図２０参照）。
また、前後各２列の賞球用通路２６６と貸球用通路２６７とはその下端の合流部において合流し、機構盤１００側の払出通路１１２に連通している。
【００４２】
また、前後２列の払出用球通路２６０下端部の回転体収納部には、外周面に複数の球受部を有してスプロケット状をなす前後の両球送り部を有する回転体２７２が回転可能に配設され、ケース体２５２の所定位置には回転体２７２を回転駆動する払出用モータ２７０が装着されている。
また、ケース体２５２の内部には、前後２列の払出用球通路２６０の下端部に位置しかつ払出用球通路２６０の球を回転体２７２の球受部に向けて流下案内する前後各一対の可動案内部材２６４が装着されている。これら各一対の可動案内部材２６４は、球噛みを回避する位置に向けて軸を中心として回動可能でかつバネ（図示しない）によって、球案内位置（図２０に示す位置）に配置保持されるようになっている。
【００４３】
図２０に示すように、ケース体２５２の上部寄り部分の左右両側面には、払出装置用凹部１４１の両側壁部１４３、１４４に形成された複数の係止孔１４６に係脱可能に係合する係止凸部２５３がそれぞれ形成されている。
また、図１９に示すように、ケース体２５２の下端部には、払出装置用凹部１４１の下端部の差込部１４９が係脱可能に差し込まれる係止溝１５４が形成されている。
そして、球払出ユニット２５１は、そのケース体２５２が払出装置用凹部１４１の後方からその払出装置用凹部１４１に嵌込まれる際、まず、ケース体２５２の係止凸部２５３が払出装置用凹部１４１の複数の係止孔１４６の挿入部１４７に位置合わせされた状態で嵌込まれる。ここで、ケース体２５２が所定位置まで引き下げられることで、ケース体２５２の係止凸部２５３が係止孔１４６の係止部１４８に係合するとともに、図１９に示すように、ケース体２５２の係止溝２５４が払出装置用凹部１４１の下端部の差込部１４９に差し込まれて係合する。
【００４４】
一方、図１９に示すように、ケース体２５２が所定位置まで引き下げられると、払出装置用凹部１４１の上壁部１４２に設けられたロック体１５０のロック片１５３の下端部がケース体２５２の上端部に係合し、これによって払出装置用凹部１４１に嵌込まれて収納された状態で球払出ユニット２１が装着される。
前記したように、払出装置用凹部１４１に球払出ユニット２５１が装着された状態において、払出装置用凹部１４１の左右の両側壁部１４３の間に球払出ユニット２５１のケース体２５２が僅かな隙間をもって嵌込まれて装着される。このため、払出装置用凹部１４１とケース体２５２との強度が相互に高められ、ひいては機構盤１００の強度が高められる。
また、球払出ユニット２５１のケース体２５２の左右方向への動き（ガタツキ）は払出装置用凹部１４１の両側壁部１４３、１４４によって阻止される。また、ケース体２５２の前後方向並びに下方への動き（ガタツキ）は、ケース体２５２の複数の係止凸部２５３と払出装置用凹部１４１の複数の係止孔１４６との係合力、並びにケース体２５２の係止溝２５４と払出装置用凹部１４１の差込部１４９との係合力によって阻止される。また、ケース体２５２の上方への動き（ガタツキ）は、ロック体１５０のロック片１５３の下端がケース体２５２の上端部に当接することで阻止される。
このため、払出装置用凹部１４１に球払出ユニット２５１が安定よく固定されて装着される。
【００４５】
また、球払出ユニット２５１の保守点検や修理交換等に際し、払出装置用凹部１４１に装着された球払出ユニット２５１を取り外す場合、図１９の鎖線に示すように、ロック体１５０は、ロック解除用操作部１５２が斜め下向きに押圧操作される。すると、ロック体１５０は、その弾性変形部１５１が弾性変形しながらそのロック片１５３がケース体２５２の上端部から前方に外れるロック解除位置まで変位する。
ここで、ケース体２５２の係止溝２５４が払出装置用凹部１４１の下端部の差込部１４９から外れ、かつケース体２５２の係止凸部２５３が係止孔１４６の挿入部１４７に達する位置までケース体２５２が上方に所定量だけ引き上げられる。その後、払出装置用凹部１４１からケース体２５２が後方に引き出されることで、払出装置用凹部１４１から球払出ユニット２５１が取り外される。
前記したようにして、機構盤１００の払出装置装着部１４０を構成する払出装置用凹部１４１に対し球払出装置２５０を構成するユニット化された球払出ユニット２５１を容易に着脱することができる。
【００４６】
図１８、図２２及び図２３に示すように、機構盤１００には、レール装着部１３０と払出装置装着部１４０との間に位置して球止め用装着部１６０が設けられている。この球止め用装着部１６０は、球止部材３００が球止め位置と非球止め位置とに前後方向に移動可能に嵌込まれる段差孔状の装着孔１６１を有するボス部１６２を主体として構成されている。このボス部１６２の装着孔１６１は、前側に大径孔部１６１ａを、後側に小径孔部１６１ｂを有して段差孔状に形成されその段差面をストッパ部１６３としている。そして、図２３に示すように、球止部材３００を後方に引き出して球止め位置に配置したときには、これ以上の後方への球止部材３００の引き出しを阻止するようになっている。
また、ボス部１６２の外周面下部には、装着孔１６１の一部を開口して球止部材３００の進退動を可能とする開口部１６５が形成されている（図１８参照）。
【００４７】
図２２と図２３に示すように、機構盤１００の球止め用装着部１６０には、タンクレール２２０の球流出口を塞いで球Ｂの流出を止める球止め位置と、球Ｂの流出を許容する非球止め位置とに配置切換される球止部材３００が装着されている。この球止部材３００は、機構盤１００の前側からその球止め用装着部１６０装着孔１６１の大径孔部１６１ａに差し込まれて挿入される球止体３０２と、機構盤１００の後側から球止体３０２に一体に組み付けられる操作体３１０との２部品を主体として構成される。
すなわち、球止体３０２は、装着孔１６１の大径孔部１６１ａの孔径寸法よりも適宜に小さく小径孔部１６１ｂと略同径で軸方向に移動可能に嵌挿される外形寸法を有する筒軸部３０３と、同筒軸部３０３の前部近傍にスリット状に切り込み部等によって弾性的に縮小・拡大しかつ装着孔１６１の大径孔部１６１ａの内周面に圧接して所定の摩擦力を付与するとともに、装着孔１６１のストッパ部１６３に当接して抜け止めをなすフランジ状の抜止部３０５と、筒軸部３０３の外周下面から垂下状に突出されかつ抜止部３０５がストッパ部１６３に当接する球止め位置まで移動されたときにタンクレール２２０の球Ｂを止める板状の球止部３０４と、を有している。
【００４８】
操作体３１０は、機構盤１００の後側おいて、球止体３０２の後方開口部からその筒内に挿入される結合軸部３１１と、その結合軸部３１１の後端部外周面に沿いかつ球止体３０２の後端部が嵌挿される隙間をもって形成された大径の操作部３１２とを一体に備えている。
すなわち、機構盤１００の球止め用装着部１６０に球止部材３００を装着する場合、まず、機構盤１００の前側からその球止め用装着部１６０装着孔１６１の大径孔部１６１ａに球止体３０２の筒軸部３０３が嵌挿される。
次に、機構盤１００の後側において、球止体３０２の筒軸部３０３の後方開口部からその筒内に、操作体３１０の結合軸部３１１が圧入あるいは必要に応じて接着剤を塗布して挿入される。また、球止体３０２の筒軸部３０３に対する操作体３１０の結合軸部３１１の挿入にともなって、結合軸部３１１と操作部３１２との間の隙間に球止体３０２の後端部が圧入あるいは必要に応じて接着剤を塗布して嵌挿される。これによって、球止体３０２に操作体３１０が一体に結合されて球止部材３００が構成されるととも、機構盤１００の球止め用装着部１６０に装着される。
【００４９】
前記したように機構盤１００の球止め用装着部１６０に球止部材３００が装着された状態において、球止部材３００は、その操作部３１１を把持して後方に引き出すことで球止め位置に配置され、元の状態に前方に押し込むことで非球止め位置に配置切換される。
図２３に示すように、球止部材３００が球止め位置に配置されたときには、その球止部３０４によって、タンクレール２２０の球流出口から球Ｂが流出するのを阻止することができる。
また、図２２に示すように、球止部材３００が非球止め位置に配置切換されたときには、タンクレール２２０の球流出口から球止部３０４が退避して球Ｂの流出を許容する。
また、球止部材３００が球止め位置あるいは非球止め位置に配置された状態において、球止体３０２の筒軸部３０３の抜止部３０５の外周面が、装着孔１６１の大径孔部１６１ａの内周面に圧接して所定の摩擦力を付与する。そしてこの摩擦力によって球止部材３００を球止め位置あるいは非球止め位置に保持することができ、球止部材３００が不測に移動する不具合を防止することができる。
【００５０】
図２４〜図２６に示すように、機構盤１００の後面下部（後枠板１０２の下板部１０４）には第１の基板ボックス４００と第２の基板ボックス４２０とを左右に隣接して装着するための第１のボックス装着部１７０と第２のボックス装着部１８０とがそれぞれ設けられている。
また、この実施の形態において、図２４と図２５に示すように、第１の基板ボックス４００は、ベース体４１０と蓋体４１１との間に、回路基板としての払出制御基板４０２が収納されて構成されている。
また、ベース体４１０の内面中央部には、第１のボックス装着部１７０の底板部１７６の中央部を通して締付用のネジがネジ込まれるボス部４１５が突設されている。また、払出制御基板４０２は、主制御基板８１から伝達される信号に基づいて球払出装置２５０の払出用モータ２７０を作動制御するようになっている。
また、第１の基板ボックス４００のベース体４１０の内部に、払出制御基板４０２を締め付け固定するための複数のビスは、ベース体４１０の外部（下面）に僅かではあるが突出している。これら複数のビスのうち、少なくとも１つのビスがアース用ビス４１６（アース端子）とされ、そのアース用ビス４１６は払出制御基板４０２のアース回路に電気的に接続されている（図２７及び図２９参照）。
【００５１】
図２４と図２５に示すように、第２の基板ボックス４２０は、ベース体４３０と蓋体４３１との間に、回路基板としての電源基板４２２が収納されて構成されている。また、ベース体４３０の内面中央部には、第２のボックス装着部１８０の底板部１８６の中央部を通して締付用のネジがネジ込まれるボス部４３５が突設されている。また、電源基板４２２は外部電源を受け、遊技機の各種電機部品や電動装置にそれぞれ所要とする電源を供給するようになっている。
また、第２の基板ボックス４２０においても、そのベース体４３０に電源基板４２２を締め付け固定するための複数のビスは、ベース体４３０の外部（下面）に僅かではあるが突出している。そして、これら複数のビスのうち、少なくとも１つのビスをアース用ビスとし、そのアース用ビスは電源基板４２２のアース回路に電気的に接続されている。
【００５２】
図２５に向かって右側の第１のボックス装着部１７０は、図２５と図２６に示すように、後枠板１０２の下板部１０４の一部、言い換えると、後枠板１０２と略同一面をなす底板部１７６を有するとともに、第１の基板ボックス４００を外周を僅かな隙間をもって囲む壁部を有するボックス用凹部１７１を主体として構成されている。
すなわち、ボックス用凹部１７１は、第１の基板ボックス４００に対応する大きさに形成された底板部１７６と、その底板部１７６の四周縁から後方に向けて略直角でかつ四角環状をなして突出された上壁部１７２、下壁部１７３及び左右の両側壁部１７４、１７５を有して後方に開口している。
【００５３】
また、ボックス用凹部１７１の少なくとも相対する壁部（この実施の形態では、上壁部１７２、下壁部１７３及び左右の両側壁部１７４、１７５）には、弾性係止片１７９が切り込み部によって弾性変形可能に一体状に形成されている。これら複数の弾性係止片１７９は、ボックス用凹部１７１に第１の基板ボックス４００を弾性的に係止するためのもので、複数の弾性係止片１７９の先端部には、案内面と係止面を有して断面略三角形状をなす係止爪１７９ａがそれぞれ形成されている（図２７〜図２９参照）。
ボックス用凹部１７１の底板部１７６には、第１の基板ボックス４００の底部を弾性的に押圧する押圧手段が設けられている。
図２６〜図２８に示すように、押圧手段は、ボックス用凹部１７１の底板部１７６に一体状に形成された弾性押圧片１７７によって構成されている。
【００５４】
この実施の形態において、底板部１７６の複数箇所（好ましくは底板部１７６の四隅部近傍）に、略Ｃ字状、Ｕ字状等の切り込み溝が形成されることによって、複数（４つ）の弾性押圧片１７７がその各根元部１７７ａにおいてそれぞれ弾性変形可能に形成されている。
そして、図２７に示すように、ボックス用凹部１７１に第１の基板ボックス４００が嵌込まれる前の自由状態にあるときには、複数の弾性押圧片１７７は、底板部１７６よりも後方（ボックス用凹部１７１の内方）に向けて所定量だけ突出している。
【００５５】
また、図２７と図２８に示すように、第１のボックス装着部１７０のボックス用凹部１７１の底板部１７６には、同底板部１７６と第１の基板ボックス４００の底部との間に挟まれかつ複数の弾性押圧片１７７によって第１の基板ボックス４００の底部に押圧された状態で第１のシールド板３５０が配設されている。
この第１のシールド板３５０は、鉄板、ステンレス板、銅板等の導電性を有する金属板等（導電板）よりなり、ボックス用凹部１７１の底板部１７６の沿って設置される大きさの四角形状に形成されている。また、第１のシールド板３５０の略中央部には中央部に締付用ネジが挿通される長孔状の抜き孔３５１が貫設されて、その抜き孔３６１の長手方向両端部から抜き孔３５１の中心部に向けて２つの接続端子３５２が形成されている。そして、これら２つの接続端子３５２のいずれか一方の接続端子３５２には、アース線の一方の端末部が電気的に接続されるようになっている。なお、アース線の他方の端末部は払出制御基板４０２のアース接続端子に接続されたり、あるいは接地される。
【００５６】
すなわち、第１のボックス装着部１７０のボックス用凹部１７１に第１の基板ボックス４００を装着する場合、まず、図２７に示すように、ボックス用凹部１７１の底板部１７６上に第１のシールド板３５０が設置される。次に、ボックス用凹部１７１の複数の弾性係止片１７９の係止爪１７９ａの案内面に沿って第１の基板ボックス４００が押し込まれる。すると、複数の弾性係止片１７９が外側に向けてそれぞれ弾性変形する。
【００５７】
図２８に示すように、ボックス用凹部１７１の所定位置まで第１の基板ボックス４００が押し込まれて嵌込まれることで、複数の弾性係止片１７９の弾性変形に基づく弾発力によって、複数の弾性係止片１７９の係止爪１７９ａが第１の基板ボックス４００の外側面の係合部に弾性的に係合する。そして、複数の弾性係止片１７９の係止爪１７９ａによって第１のボックス装着部１７０のボックス用凹部１７１に第１の基板ボックス４００が僅かな隙間をもって嵌込まれかつ収納された状態で装着される（図２８及び図２９参照）。
また、この実施の形態において、図２５に示すように、機構盤１００の前側からボックス用凹部１７１の底板部１７６の中央部を通して締付用のネジ４１７が第１の基板ボックス４００のベース体４１０のボス部４１５にネジ込まれることで、ボックス用凹部１７１（第１のボックス装着部１７０）に第１の基板ボックス４００が確実に締め付け固定される。このため、ボックス用凹部１７１から第１の基板ボックス４００が不測に抜け出て外れる不具合を防止することができる。
【００５８】
図２８に示すように、ボックス用凹部１７１に第１の基板ボックス４００が僅かな隙間をもって嵌込まれかつ収納されたときには、その第１の基板ボックス４００の底部に第１のシールド板３５０を介して押し付けられて複数の弾性押圧片１７７がその各根元部１７７ａにおいて弾性的に変形して後退する。これら複数の弾性押圧片１７７の弾性変形に基づく弾発力によって第１のシールド板３５０を介して第１の基板ボックス４００の底部を後方に向けて、すなわち、ボックス用凹部１７１から抜け出る方向に弾性的に押圧する。そして、複数の弾性押圧片１７７の弾性変形に基づく弾発力によって、第１の基板ボックス４００のベース体４１０の外部（下面）に突出している締付用ビスのうち、少なくとも１つのアース用ビス４１６に対し、第１のシールド板３５０が圧接されて電気的に接続される。このため、第１の基板ボックス４００の払出制御基板４０２が静電気等から保護される。
前記したようにボックス用凹部１７１の底板部１７６上に第１のシールド板３５０を設置（載置）した後、ボックス用凹部１７１に第１の基板ボックス４００を装着することによって、第１の基板ボックス４００のアース用ビス４１６（アース端子）と第１のシールド板３５０とを電気的に接続することができる。このため、第１の基板ボックス４００内に第１のシールド板３５０を配設し、その第１のシールド板３５０を払出制御基板４０２のアース接続端子に電気的に接続する煩わしい作業を解消することができる。
また、第１のシールド板３５０がボックス用凹部１７１の底板部１７６と略同じ大きさに形成されて底板部１７６上に配設されることによってボックス用凹部１７１の強度が第１のシールド板３５０によって補強され、ひいては機構盤１００の強度が高められる。
【００５９】
また、第１のボックス装着部１７０のボックス用凹部１７１から第１の基板ボックス４００を取り外す場合、まず、機構盤１００の前側から締付用のネジ４１７が取り外される。
ここで、ボックス用凹部１７１の複数の弾性係止片１７９を外側にそれぞれ弾性的に撓ませて第１の基板ボックス４００の外側面の係合部との係合を外す。
すると、ボックス用凹部１７１の複数の弾性押圧片１７７の弾性変形に基づく弾発力によってボックス用凹部１７１から抜け出る後方に向けて第１のシールド板３５０を介して第１の基板ボックス４００が所定量だけ押し出される。
これによって、ボックス用凹部１７１に僅かな隙間をもって嵌込まれて収納されている第１の基板ボックス４００がボックス用凹部１７１から容易に取り外される。
【００６０】
次に、図２５に向かって左側の第２のボックス装着部１８０は、後枠板１０２の下板部１０４よりも前方に所定量だけ凹まされた部分を底板部１８５とするボックス用凹部１８１を主体として構成されている。
すなわち、第２のボックス装着部１８０のボックス用凹部１８１は、第２の基板ボックス４２０に対応する大きさに形成された底板部１８６と、その底板部１８６の四周縁から後方に向けて略直角状をなして突出された上壁部１８２、下壁部１８３及び左右の両側壁部１８４、１８５を有して後方に開口している。そして前にも述べたように、ボックス用凹部１８１の上壁部１８２、下壁部１８３及び片側（図２６に向かって左側）の側壁部１８４は、後枠板１０２の下板部１０４と略同一面をなして一体に結合され、他側の側壁部１８５は、第１のボックス装着部１７０のボックス用凹部１７１の側壁部１７４と一体連続状に形成されている。
【００６１】
また、第２のボックス装着部１８０のボックス用凹部１８１の少なくとも相対する壁部（この実施の形態では、上壁部１８２、下壁部１８３及び片側の側壁部１８４）には、弾性係止片１８９が切り込み部によって弾性変形可能に一体状に形成されている。これら複数の弾性係止片１８９は、ボックス用凹部１８１に第２の基板ボックス４２０を弾性的に係止するためのもので、複数の弾性係止片１８９の先端部には、前記した弾性係止片１７９と同様にして案内面と係止面を有して断面略三角形状をなす係止爪がそれぞれ形成されている。
そして、ボックス用凹部１８１に第２の基板ボックス４２０が複数の弾性係止片１８９によって弾性的に係止されて装着されるようになっている。
ボックス用凹部１８１の底板部１８６には、第１のボックス装着部１７０のボックス用凹部１７１の複数の弾性押圧片１７７と略同様にして、第２の基板ボックス４２０の底部を弾性的に押圧する複数の弾性押圧片１８７がその各根元部１８７ａにおいてそれぞれ弾性変形可能に形成されている（図２６参照）。
【００６２】
また、ボックス用凹部１８１の底板部１８６には、同底板部１８６と第２の基板ボックス４２０の底部との間に挟まれかつ複数の弾性押圧片１８７によって第２の基板ボックス４２０の底部に押圧された状態で導電板としての第２のシールド板３６０が配設されている。
この第２のシールド板３６０は、第１のシールド板３５０と略同様にして導電性金属板よりなり、ボックス用凹部１８１の底板部１８６と略同じ大きさの四角形状に形成されるとともに、その抜き孔の中心部に向けて２つの接続端子のいずれか一方の接続端子にアース線の端末部が電気的に接続されるようになっている。
【００６３】
したがって、第２のボックス装着部１８０のボックス用凹部１８１に第２の基板ボックス４２０を装着したり、あるいは取り外す場合においても、第１のボックス装着部１７０のボックス用凹部１７１に対する第１の基板ボックス４００を装着あるいは取り外し操作と略同様に操作することで容易に装着したり取り外したりすることができる。
【００６４】
前記したように、この実施の形態おいては、ボックス用装着部材としての機構盤１００の後側面に設けられた第１のボックス装着部１７０及び第２のボックス装着部１８０が、第１の基板ボックス４００及び第２の基板ボックス４２０を僅かな隙間をもって取り囲む壁部を有するボックス用凹部１７１、１８１によってそれぞれ構成される。そして、ボックス用凹部１７１、１８１の底板部１７６、１８６には、第１の基板ボックス４００あるいは第２の基板ボックス４２０の底部を弾性的に押圧する押圧手段（例えば、弾性押圧片１７７、１８７）が設けられている。
したがって、ボックス用装着部材としての機構盤１００の強度が効率よく高められる。特に、ボックス用凹部１７１、１８１に第１、第２の基板ボックス４００、４２０がそれぞれ僅かな隙間をもって嵌込まれかつ収納された状態で装着される。このため、ボックス用凹部１７１、１８１と第１、第２の基板ボックス４００、４２０との強度がそれぞれ相互に高められ、ひいては機構盤１００の強度が効率よく高められる。
【００６５】
また、第１のボックス装着部１７０（あるいは第２のボックス装着部１８０）のボックス用凹部１７１（１８１）から第１の基板ボックス４００（あるいは第２の基板ボックス４２０）を取り外す際には、押圧手段によって第１の基板ボックス４００（あるいは第２の基板ボックス４２０）の底部が弾性的に押圧されて押し出されることで、ボックス用凹部１７１（１８１）から第１の基板ボックス４００（あるいは第２の基板ボックス４２０）が容易に取り外される。
また、押圧手段は、ボックス用凹部１７１、１８１の底板部の一部に切り込み状に形成された弾性押圧片１７７、１８７によって構成されている。
したがって、第１の基板ボックス４００（あるいは第２の基板ボックス４２０）の底部を押圧するための専用の押圧部材を別個に製作して組み付ける手間を省くことができ、部品点数や組付工数を軽減してコスト低減を図ることができる。
【００６６】
また、この実施の形態において、第１のボックス装着部１７０としてのボックス用凹部１７１の少なくとも相対する壁部には、第１の基板ボックス４００を弾性的に係止するための弾性係止片１７９が切り込み部によって弾性変形可能に一体状に形成されている。
また、第２のボックス装着部１８０としてのボックス用凹部１８１の少なくとも相対する壁部にも、第２の基板ボックス４２０を弾性的に係止するための弾性係止片１８９が切り込み部によって弾性変形可能に一体状に形成されている。
したがって、ボックス用凹部１７１、１８１の弾性係止片１７９、１８９を弾性変形させることによって、ボックス用凹部１７１、１８１に対し第１、第２の基板ボックス４００、４２０を容易に着脱することができる。
また、ボックス用凹部１７１、１８１の壁部に弾性係止片１７９、１８９をそれぞれ一体に形成することによって、専用の弾性係止片を製作してボックス用凹部１７１、１８１に組み付ける手間を省くことができ、部品点数や組付工数を軽減してコスト低減を図ることができる。
【００６７】
なお、この発明は前記実施の形態に限定するものではない。
例えば、前記実施の形態においては、ボックス用装着部材が機構盤１００である場合を例示したが、例えば、裏カバー体７５をボックス用装着部材としてもよい。この場合、裏カバー体７５の所定位置に設けらるボックス装着部は、基板ボックス（例えば、主基板ボックス８０、副基板ボックス８５等）の外周を囲む壁部を有するボックス用凹部によって構成され、その凹部の底板部には、基板ボックスの底部を弾性的に押圧する押圧手段としての弾性押圧片が設けられる。
また、押圧手段は、ボックス用凹部１７１、１８１の底板部の一部に切り込み状に形成された弾性押圧片１７７、１８７によって構成されている場合を例示したが、コイルばね、板ばね、ゴム等の弾性体より押圧部材を形成してボックス用凹部１７１、１８１の底板部に組み付けてもこの発明を実施することができる。また、前記実施の形態ではパチンコ球を使用してスロットマシン遊技のような遊技を行う遊技機である場合を例示したが、パチンコ機等の弾球遊技機ある場合においても実施可能である。例えば、前記実施の形態においては、遊技盤７１に対し、図柄表示用回転ベルト７３（回転レール、回転ドラム等）を備えた遊技ユニット７２が装着されて遊技装置７０が構成されるが、弾球遊技機においては、遊技盤に各種の入賞装置、役物装置、誘導釘等が配設されて遊技装置が構成される。
また、遊技盤７１は、合成樹脂製、木質合板製、金属製等のいずれにおいても構成することができる。
【００６８】
【発明の効果】
以上述べたように、この発明によれば、ボックス用装着部材の強度を高めながら基板ボックスを容易に取り外すことができる。
【図面の簡単な説明】
【図１】この発明の実施の形態に係る遊技機を示す正面図である。
【図２】同じく図１のＩＩ−ＩＩ線に基づく遊技機の縦断面図である。
【図３】同じく遊技機を示す背面図である。
【図４】同じく前枠と装着枠との組付状態を示す正面図である。
【図５】同じく装着枠を示す背面図である。
【図６】同じく図６の（Ａ）は前枠と装着枠との固定手段を構成する結合孔、固定用ボス部、固定係合板及び可動係合板によって前枠と装着枠とが固定された状態を示す正面図であり、図６の（Ｂ）は側断面図である。
【図７】同じく図７の（Ａ）は可動係合板が非固定状態まで回動された状態を示す正面図であり、図７の（Ｂ）は側断面図である。
【図８】同じく機構盤を示す正面図である。
【図９】同じく機構盤を示す背面図である。
【図１０】同じく機構盤の各装着部に球タンク、タンクレール及び球払出装置の球払出ユニットがそれぞれ装着された状態を一部破断して示す背面図である。
【図１１】同じく機構盤のタンク装着部とレール装着部に球タンクとタンクレールとがそれぞれ装着された状態を示す縦断面図である。
【図１２】同じく機構盤のタンク装着部とレール装着部とを拡大して示す背面図である。
【図１３】同じく球タンクを示す斜視図である。
【図１４】同じく球タンクを示す平面図である。
【図１５】同じく球タンクを示す背面図である。
【図１６】同じくタンクレールを示す拡大して示す背面図である。
【図１７】同じくタンクレールを拡大して示す平面図である。
【図１８】同じく機構盤の払出装置装着部と球止め用装着部とを拡大して示す背面図である。
【図１９】同じく払出装置装着部の払出装置用凹部に球払出装置の球払出ユニットが装着された状態を示す縦断面図である。
【図２０】同じく球払出ユニットのケース体に通路切換部材、可動案内部材、回転体、賞球用検出器、貸球用検出器が配設された状態を示す断面図である。
【図２１】同じく球払出ユニットを示す背面図である。
【図２２】同じく球止部材が非球止め位置に配置された状態を示す縦断面図である。
【図２３】同じく球止部材が球止め位置に配置された状態を示す縦断面図である。
【図２４】同じく機構盤の第１、第２の両ボックス装着部に第１、第２の両基板ボックスが装着された状態を示す背面図である。
【図２５】同じく図２４のＸＸＶ−ＸＸＶ線に基づく第１、第２の両基板ボックスの装着状態を示す下方から視た断面図である。
【図２６】同じく機構盤の第１、第２の両ボックス装着部を示す背面図である。
【図２７】同じく図２６のＸＸＶＩＩ−ＸＸＶＩＩ線に基づきかつ機構盤の第１のボックス装着部（又は第２のボックス装着部）に第１の基板ボックス（又は第２のボックス装着部）が装着される前で自由状態の弾性押圧片を拡大して示す断面図である。
【図２８】同じく機構盤の第１のボックス装着部（又は第２のボックス装着部）に第１の基板ボックス（又は第２の基板ボックス）が装着され弾性係止片が弾性変形された状態を拡大して示す断面図である。
【図２９】同じく機構盤の第１のボックス装着部（又は第２のボックス装着部）に第１の基板ボックス（又は第２の基板ボックス）が弾性係止片によって係止された状態を拡大して示す断面図である。
【図３０】同じく第１のシールド板（又は第２のシールド板）を拡大して示す正面図である。
【符号の説明】
１　遊技機
１０　外枠
２０　前枠
５０　装着枠
７０　遊技装置
７１　遊技盤
７２　遊技ユニット
１００　機構盤
１２０　タンク装着部
１３０　レール装着部
１４０　払出装置装着部
１６０　球止め用装着部
１７０　第１のボックス装着部
１８０　第２のボックス装着部
２００　球タンク
２２０　タンクレール
２５０　球払出装置
３００　球止部材
３５０　第１のシールド板
３６０　第２のシールド板
４００　第１の基板ボックス
４２０　第２の基板ボックス
【図１】
2004000399.tif 000003
【図２】
2004000399.tif 000004
【図３】
2004000399.tif 000005
【図４】
2004000399.tif 000006
【図５】
2004000399.tif 000007
【図６】
2004000399.tif 000008
【図７】
2004000399.tif 000009
【図８】
2004000399.tif 000010
【図９】
2004000399.tif 000011
【図１０】
2004000399.tif 000012
【図１１】
2004000399.tif 000013
【図１２】
2004000399.tif 000014
【図１３】
2004000399.tif 000015
【図１４】
2004000399.tif 000016
【図１５】
2004000399.tif 000017
【図１６】
2004000399.tif 000018
【図１７】
2004000399.tif 000019
【図１８】
2004000399.tif 000020
【図１９】
2004000399.tif 000021
【図２０】
2004000399.tif 000022
【図２１】
2004000399.tif 000023
【図２２】
2004000399.tif 000024
【図２３】
2004000399.tif 000025
【図２４】
2004000399.tif 000026
【図２５】
2004000399.tif 000027
【図２６】
2004000399.tif 000028
【図２７】
2004000399.tif 000029
【図２８】
2004000399.tif 000030
【図２９】
2004000399.tif 000031
【図３０】
2004000399.tif 000032